(57)【特許請求の範囲】
【請求項１】
ＲＦＩＤリーダライタとＲＦＩＤタグとの通信方法であって、
ＲＦＩＤリーダライタが、ＲＦＩＤタグのメモリの所定領域に擬似データを書き込むステップと、
ＲＦＩＤリーダライタが、前記所定領域からデータを読み取るステップと、
ＲＦＩＤリーダライタが、読取った前記データが前記書込むステップにより書込まれた前記擬似データを含むか否かを判断するステップと、
ＲＦＩＤリーダライタが読取った前記データが前記書込むステップにより書込まれた前記擬似データを含むと判断した場合にのみ、前記ＲＦＩＤタグと必要なデータを交信するステップとを含み、
前記擬似データを書き込むステップと、データを読み取るステップの間に、ＲＦＩＤリーダライタの電波の出力調整するステップをさらに有し、
前記出力調整するステップは、データを読み取るステップにおいて、擬似データを書き込むステップの電波の出力以上に出力調整する、通信方法。
【請求項２】
前記擬似データは有効時間情報を含み、
前記ＲＦＩＤリーダライタが、前記擬似データを含むか否かを判断するステップは、前記擬似データが有効時間内であるか否かを判断する、請求項１に記載の通信方法。
【請求項３】
前記ＲＦＩＤリーダライタは、１つのアンテナを有し、
前記アンテナで前記ＲＦＩＤタグと通信できる所定の場所において、前記ＲＦＩＤタグと交信を行うことを特徴とする、請求項１または２に記載の通信方法。
【請求項４】
前記ＲＦＩＤリーダライタは、前記擬似データを書き込む第一のアンテナと前記データを読み取るための第二のアンテナを有し、
前記書き込むステップは、前記第一のアンテナを用いて前記ＲＦＩＤタグのメモリの所定領域に前記擬似データを書き込み、
前記読み取るステップは、前記第二のアンテナの通信領域に前記ＲＦＩＤタグが移動してきたときに、前記第二のアンテナを用いて、ＲＦＩＤタグのメモリからのデータを読み取り、
前記交信するステップは、前記第二のアンテナを用いてＲＦＩＤタグと交信することを特徴とする請求項１または２に記載の通信方法。
【請求項５】
前記ＲＦＩＤリーダライタは、前記読取りステップで前記ＲＦＩＤタグから読取った前記擬似データを消去するステップをさらに含む、請求項１〜４のいずれかに記載の通信方法。
【請求項６】
前記擬似データは前記書き込むステップを実行した時間を起点とした時間情報を含む、請求項１〜５のいずれかに記載の通信方法。
【請求項７】
前記時間情報は前記擬似データの前記書き込むステップを実行した時間からの有効時間を示す、請求項６に記載の通信方法。
【請求項８】
前記ＲＦＩＤリーダライタが、前記ＲＦＩＤタグのメモリの所定領域に擬似データが書き込まれていると判断した後、当該判断した時刻が有効時間以内であることを条件に、前記必要なデータを交信するステップを実行する請求項７に記載の通信方法。
【請求項９】
ＲＦＩＤタグとデータを交信するアンテナと、
前記アンテナを介してＲＦＩＤタグに擬似データを書込む書込み手段と、
前記アンテナを介してＲＦＩＤタグから擬似データを読取る読取り手段と、
読取った前記データが前記書込み手段により書込まれた前記擬似データを含むか否かを判断する判断手段と、
ＲＦＩＤリーダライタが読取った前記データが前記書込み手段により書込まれた前記擬似データを含むと判断した場合にのみ、前記ＲＦＩＤタグと必要なデータを交信するよう、前記書込み手段と前記読取り手段とを制御する制御手段とを含み、
前記制御手段は、前記書込み手段によって前記擬似データを書き込み、前記読取手段によってデータを読み取る間に、電波のアンテナの出力を調整し、前記出力の調整は、前記読取手段によってデータを読み取るときに、前記書込み手段によって擬似データを書き込む電波の出力以上に出力調整する、ＲＦＩＤリーダライタ。
【発明の詳細な説明】
【技術分野】
【０００１】
この発明は、通信方法およびＲＦＩＤリーダライタに関し、特に、意図しないＲＦＩＤタグとの交信を排除できる、通信方法およびＲＦＩＤリーダライタに関する。
【背景技術】
【０００２】
従来のＲＦＩＤリーダライタとＲＦＩＤタグとの通信方法に関して、例えば、特開平６−１３１４６２号公報（特許文献１）に記載のものが知られている。特許文献１によると、固有のＩＤコードを有する応答器が、質問器のビームエリア内を通過するときに、質問器から送信された起動コマンドに応答してＩＤコードを付加し起動レスポンスを送信し、質問器が応答器から送信されたＩＤコード付起動レスポンスを受信し、このＩＤコードと記憶手段に記憶され直前に通信を正常終了した応答器のＩＤコードとを照合して、一致しているならば通信を禁止し、一致していないならば通信を継続することにより、同一ビームエリア内で、２回以上同じ動作を実施することがなくなり、複数回の動作による通信異常の発生を防止できることとしている。
【０００３】
しかしながら、特許文献１に記載の通信方法では、一度の交信で１つのＲＦＩＤタグと交信することしか想定していない。
【０００４】
交信を所望する領域であるＲＦＩＤリーダライタから一定の領域内に位置する複数のＲＦＩＤタグと一度に交信する通信方法が知られているが、この通信方法においては、交信を所望する領域よりも遠くに位置する意図しないＲＦＩＤタグと交信してしまうという問題があった。これは、ＲＦＩＤリーダライタから送信されて、ＲＦＩＤタグに直接到達する直接波と、床面や壁面などに反射してから到達する反射波とが存在するために起こる問題である。すなわち、複数の経路にて伝播するため、電波同士が干渉して強め合い、交信を所望する領域よりも遠くに位置する意図しないＲＦＩＤタグと交信してしまうために起こる問題である。
【０００５】
こうした意図しないＲＦＩＤタグとの交信を排除できるＲＦＩＤリーダライタとＲＦＩＤタグとから成るＲＦＩＤシステムが、例えば、特開２００９−２５９２３２号公報（特許文献２）や特開２００８−２３４５２７号公報（特許文献３）に開示されている。
【０００６】
特許文献２によると、通信可能な領域内にある記録媒体から該記録媒体に記録されたデータを非接触で繰り返し読み取る読取装置において、読取結果を時系列にした時系列データを生成し、生成した時系列データに基づいて、読取結果の特徴を示す特徴データを生成し、生成した特徴データに基づいて、読み取ったデータを必要データ又は不要データに分類することにより、必要なデータのみを採用することとしている。
【０００７】
また、特許文献３によると、電波吸収体を設置して電波環境を整えて反射による干渉点（Ｎｕｌｌ点）を無くす方法であって、電波吸収側壁に、ＲＦＩＤアンテナから放射される電波が所定の漏洩許容値以下であることを確認するための漏れ検出ＩＣタグを付設して、これにより電波の漏れを確認した場合には、側璧の展開状態を変化させて対応することにより、ゲート外にある所望しないＩＣタグの読み取りを確実に防ぐこととしている。
【先行技術文献】
【特許文献】
【０００８】
【特許文献１】特開平６−１３１４６２号公報
【特許文献２】特開２００９−２５９２３２号公報
【特許文献３】特開２００８−２３４５２７号公報
【発明の概要】
【発明が解決しようとする課題】
【０００９】
従来の、意図しないＲＦＩＤタグとの交信を排除できるＲＦＩＤリーダライタとＲＦＩＤタグとの通信方法は、上記のように構成されていた。しかしながら、特許文献２に記載の通信方法は、ＲＦＩＤリーダライタとＲＦＩＤタグとが繰返し交信を行う必要があり、意図しないＲＦＩＤタグか否かを判断する処理に時間が掛かるという問題があった。また、特許文献３に記載のＲＦＩＤシステムでは、電波吸収体および漏れ検出ＩＣタグを設置する必要があり、設備費が高価になるという問題があった。
【００１０】
この発明は上記のような問題点を解消するためになされたもので、処理に掛る時間が短いと共に、設備費が安価な、意図しないＲＦＩＤタグとの交信を排除できる通信方法およびＲＦＩＤリーダライタを提供することを目的とする。
【課題を解決するための手段】
【００１１】
この発明に係る通信方法は、ＲＦＩＤリーダライタとＲＦＩＤタグとの通信方法であって、ＲＦＩＤリーダライタが、ＲＦＩＤタグのメモリの所定領域に擬似データを書き込むステップと、ＲＦＩＤリーダライタが、前記所定領域からデータを読み取るステップと、ＲＦＩＤリーダライタが、読取ったデータが書込むステップにより書込まれた擬似データを含むか否かを判断するステップと、ＲＦＩＤリーダライタが読取ったデータが書込むステップにより書込まれた擬似データを含むと判断した場合にのみ、ＲＦＩＤタグと必要なデータを交信するステップとを含む。
【００１２】
好ましくは、擬似データは有効時間情報を含み、ＲＦＩＤリーダライタが、擬似データを含むか否かを判断するステップは、擬似データが有効時間内であるか否かを判断する。
【００１３】
好ましくは、擬似データを書き込むステップと、データを読み取るステップの間に、ＲＦＩＤリーダライタの電波の出力調整するステップをさらに有し、出力調整するステップは、データを読み取るステップにおいて、擬似データを書き込むステップの電波の出力以上に出力調整する。
【００１４】
好ましくは、ＲＦＩＤリーダライタは、１つのアンテナを有し、アンテナでＲＦＩＤタグと通信できる所定の場所において、ＲＦＩＤタグと交信を行うことを特徴とする。
【００１５】
好ましくは、ＲＦＩＤリーダライタは、擬似データを書き込む第一のアンテナとデータを読み取るための第二のアンテナを有し、書き込むステップは、第一のアンテナを用いてＲＦＩＤタグのメモリの所定領域に擬似データを書き込み、読み取るステップは、第二のアンテナの通信領域にＲＦＩＤタグが移動してきたときに、第二のアンテナを用いて、ＲＦＩＤタグのメモリからのデータを読み取り、交信するステップは、第二のアンテナを用いてＲＦＩＤタグと交信することを特徴とする。
【００１６】
好ましくは、ＲＦＩＤリーダライタは、読取りステップでＲＦＩＤタグから読取った擬似データを消去するステップをさらに含む。
【００１７】
好ましくは、擬似データは書き込むステップを実行した時間を起点とした時間情報を含む。
【００１８】
好ましくは、時間情報は擬似データの書き込むステップを実行した時間からの有効時間を示す。
【００１９】
この発明の他の局面においては、ＲＦＩＤリーダライタであって、ＲＦＩＤリーダライタが、ＲＦＩＤタグのメモリの所定領域に擬似データが書き込まれていると判断した後、当該判断した時刻が有効時間以内であることを条件に、必要なデータを交信するステップを実行する。
【発明の効果】
【００２０】
この発明においては、交信を所望する領域であるＲＦＩＤリーダライタから一定の領域内に位置するＲＦＩＤタグに対して擬似データを書込み、ＲＦＩＤタグから読取ったデータに書込んだ擬似データが含まれるか否かを判断し、読取ったデータが書込んだ擬似データを含むと判断した場合にのみ、そのＲＦＩＤタグと必要なデータを交信するようにしたため、交信を所望するＲＦＩＤタグとのみ交信できる。
【００２１】
その結果、処理に掛る時間が短いと共に、設備費が安価な、意図しないＲＦＩＤタグとの交信を排除できる通信方法を提供できる。
【図面の簡単な説明】
【００２２】
【図１】ＲＦＩＤシステム１００ａの構成を示すブロック図である。
【図２】交信を所望するタグ５０ａに擬似データを書込むことにより、意図しないタグ５０ｂとの交信を排除する方法について、経時的に説明するための図である。
【図３】擬似データを用いて意図しないタグとの交信を排除する方法において、リーダライタ１０の制御部２０が行う一連の処理を示すフローチャートである。
【図４】タグ５０ａから読取った擬似データを消去する方法について説明するための図である。
【図５】擬似データを消去する方法において、リーダライタ１０の制御部２０が行う一連の処理を示すフローチャートである。
【図６】擬似データに有効時間を示す時間情報が含まれる場合に、リーダライタ１０の制御部２０が行う一連の処理を示すフローチャートである。
【図７】搬送ライン４０上を移動するタグ５０ａに擬似データを書込むことにより、意図しないタグ５０ｂとの交信を排除する方法について説明するための図である。
【図８】搬送ライン４０上を移動するタグ５０ａに異なる２つの擬似データを書込むことにより、間違った読取りをより低減できる方法について説明するための図である。
【発明を実施するための形態】
【００２３】
（１）第１実施の形態
以下、この発明の一実施の形態を図面を参照して説明する。図１は、この実施の形態に係る、ＲＦＩＤシステム１００ａの構成を示すブロック図である。図１を参照して、ＲＦＩＤシステム１００ａは、ＲＦＩＤリーダライタ（以下、「リーダライタ」と省略する）１０と、ＲＦＩＤタグ（以下、「タグ」と省略する）５０とを含む。リーダライタ１０は、送信部１１と、受信部１２と、送信部１１および受信部１２を制御する制御部２０とを含み、１つのアンテナ１３を介してタグ５０と必要なデータの交信を行う。また、制御部２０は、タグ５０に送信するデータを生成する送信データ生成部２１と、タグ５０から受信したデータを処理する受信データ処理部２２と、送信データ生成部２１および受信データ処理部２２を制御するＣＰＵ２３とを含む。なお、リーダライタ１０は、アンテナ１３を１つだけでなく、複数備えてもよい。
【００２４】
図２は、図１で説明したリーダライタ１０が、交信を所望する領域に位置するタグ５０ａに擬似データを書込むことにより、このタグ５０ａと必要なデータの交信を行い、意図しないタグ５０ｂとの交信を排除する方法について、経時的に説明するための図である。図２（Ａ）は、リーダライタ１０が作動していない時間ｔ１での状態を示す図であり、図２（Ｂ）は、リーダライタ１０がタグ５０ａに擬似データを書込む時間ｔ２での状態を示す図であり、図２（Ｃ）は、リーダライタ１０がタグ５０ａおよび５０ｂから擬似データを読取る時間ｔ３での状態を示す図（Ｃ）である。
【００２５】
図２（Ｂ）を参照して、リーダライタ１０が備えるアンテナ１３の先端に隣接して図示した点線の円の内部の領域は、リーダライタ１０が、タグが備えるメモリの所定領域にデータを書込むことができる領域である。この領域と、交信を所望する領域とが等しくなるように、リーダライタ１０の電波の出力を予め設定しておく。こうすることにより、擬似データはタグ５０ａにだけ書込まれ、意図しないタグ５０ｂには書込まれない。
【００２６】
ここで、擬似データとは、乱数、工程ごとに設けられるフラグ、擬似データが書込まれた時間を起点とした時間情報、またはこれらの組み合わせであってもよいし、その他の任意のデータであってもよい。また、擬似データが、自身が書込まれた時間を起点とした時間情報を含む場合、この時間情報が有効時間を示してもよい。また、この有効時間とは他の情報であって、自身が有効か無効かを示す情報を含んでもよい。
【００２７】
図２（Ｃ）を参照して、アンテナ１３の先端に隣接して図示した点線の円の内部の領域は、リーダライタ１０が、タグが備えるメモリの所定領域からデータを読取ることができる領域である。ここで、図示するように、リーダライタ１０が、タグからデータを読取ることができる領域は、データを書込むことができる領域よりも広い。なお、リーダライタ１０の電波の出力は、擬似データの書込み時とデータの読取り時において同じであってもよいし、擬似データを書込んだ後で出力を大きくしてからデータを読取ってもよい。
【００２８】
図３は、擬似データを用いて意図しないタグとの交信を排除する方法において、リーダライタ１０の制御部２０が行う一連の処理を示すフローチャートである。図２（Ｂ）および図３を参照して、まず、送信データ生成部２１が擬似データを生成し、アンテナ１３を介して、この擬似データを、交信を所望する領域であるリーダライタ１０から一定の領域内に位置するタグ５０ａが備えるメモリの所定領域に書込む（図３において、ステップＳ０１、以下ステップを省略する）。ここで、ＣＰＵ２３および送信データ生成部２１は、書込み手段として作動する。
【００２９】
図２（Ｃ）および図３を参照して、擬似データの書込みが成功すると（Ｓ０２において、ＹＥＳ）、受信データ処理部２２で処理されたタグ５０ａおよび５０ｂからのデータを読取る（Ｓ０３）。ここで、ＣＰＵ２３および受信データ処理部２２は、読取り手段として作動する。データの読取りが成功すると（Ｓ０４において、ＹＥＳ）、タグ５０ａおよび５０ｂから読取ったデータに、Ｓ０１で書込んだ擬似データが含まれるか否かを判断する（Ｓ０５）。ここで、ＣＰＵ２３は、判断手段として作動する。タグ５０ａから読取ったデータにＳ０１で書込んだ擬似データが含まれると判断すると（Ｓ０５において、ＹＥＳ）、この読取ったデータを有するタグ５０ａが交信を所望するタグであると判断し（Ｓ０６）、正常終了処理を行う（Ｓ０７）。ここで、ＣＰＵ２３は、制御手段として作動する。こうすることにより、交信を所望する領域に位置するタグ５０ａと必要なデータの交信を行い、意図しないタグ５０ｂとの交信を排除できる。
【００３０】
なお、Ｓ０２において、擬似データの書込みが失敗したとき（Ｓ０２において、ＮＯ）、Ｓ０４において、データの読取りが失敗したとき（Ｓ０４において、ＮＯ）、およびＳ０５において、タグ５０ｂから読取ったデータにＳ０１で書込んだ擬似データが含まれないと判断したとき（Ｓ０５において、ＮＯ）は、異常終了処理を行う（Ｓ０８）。
【００３１】
次に、この実施の形態の変形例を説明する。この変形例は、タグ５０ａが交信を所望するタグであると判断した後で、読取った擬似データを消去する場合である。図４はこの方法について説明するための図であり、図２（Ｃ）で説明した時間ｔ３の後で、タグ５０ａから擬似データを消去する時間ｔ４での状態を示す図である。なお、擬似データを消去することを除いて、図２での説明と同じであるので、その詳細な説明は省略する。
【００３２】
図４を参照して、アンテナ１３の先端に隣接して図示した点線の円の内部の領域は、リーダライタ１０が、タグが備えるメモリのデータを更新できる領域である。ここで、リーダライタ１０がタグのデータを更新できる領域は、読取ることができる領域よりも狭い。
【００３３】
図５は、読取った擬似データを消去する方法において、リーダライタ１０の制御部２０が行う一連の処理を示すフローチャートである。なお、Ｓ１０１〜１０６、およびＳ１０９は、図３のフローチャートで説明したＳ０１〜０６、およびＳ０８と同じであるので、その説明を省略する。
【００３４】
図４および図５を参照して、制御部２０は、交信を所望するタグ５０ａから擬似データを消去し（Ｓ１０７）、正常終了処理を行う（Ｓ１０８）。こうすることにより、この後に他の交信が行われる場合に、間違った読取りを行う可能性をより低減できる。
【００３５】
次に、この実施の形態のさらなる変形例を説明する。この変形例は、図１で説明したリーダライタ１０が、タグ５０ａが備えるメモリの所定領域に書込む擬似データに有効時間を示す時間情報が含まれる場合である。図６は、この場合にリーダライタ１０の制御部２０が行う一連の処理を示すフローチャートである。なお、Ｓ２０１〜２０５、およびＳ２０９は、図３のフローチャートで説明したＳ０１〜０５、およびＳ０８と同じであるので、その説明を省略する。
【００３６】
図６を参照して、制御部２０のＣＰＵ２３は、擬似データに含まれる有効時間を示す時間情報が、有効時間内か否かを判断する（Ｓ２０６）。有効時間内であると判断すると（Ｓ２０６において、ＹＥＳ）、この読取ったデータを有するタグ５０ａが交信を所望するタグであると判断し（Ｓ２０７）、正常終了処理を行う（Ｓ２０８）。なお、擬似データに含まれる時間情報が有効時間内ではないと判断すると（Ｓ２０６において、ＮＯ）、異常終了処理を行う（Ｓ２０９）。
【００３７】
こうすることにより、擬似データを消去する必要がなくなり、処理に掛る時間を短くできる。
【００３８】
（２）第２実施の形態
次に、この発明の第２実施の形態について説明する。図７は、この実施の形態に係る、２つのアンテナ１３ａおよび１３ｂを備えるリーダライタ１０が、搬送ライン４０上を移動するタグ５０ａに擬似データを書込むことにより、このタグ５０ａと必要なデータの交信を行い、搬送ライン４０よりも遠くに位置する意図しないタグ５０ｂとの交信を排除する方法について説明するための図である。なお、制御部２０が行う一連の処理は、アンテナ１３ａを介して擬似データを書込み、アンテナ１３ｂを介してデータを読取ることを除いて、図３で説明したフローチャートと同じである。
【００３９】
図７を参照して、タグ５０ａは、搬送ライン４０上を図示する矢印の方向に移動し、ライン位置１、アンテナ１３ａが設けられるライン位置２、アンテナ１３ｂが設けられるライン位置３を順に通過する。
【００４０】
まず、タグ５０ａは、搬送ライン４０上のライン位置１を通過する。このとき、リーダライタ１０とタグ５０ａとの間でデータの交信は行われない。次に、タグ５０ａは、搬送ライン４０上のライン位置２を通過する。ここで、このライン位置２に設けられるアンテナ１３ａの先端に隣接して図示した点線の円の内部の領域は、リーダライタ１０がタグが備えるメモリの所定領域にデータを書込むことができる領域である。リーダライタ１０は、アンテナ１３ａを介して、この領域内に位置するタグ５０ａに擬似データを書込む。ここで、リーダライタ１０がタグにデータを書込むことができる領域と、交信を所望する領域である搬送ライン４０上とが等しくなるように、リーダライタ１０の電波の出力を予め設定しておく。こうすることにより、擬似データは、搬送ライン４０上を移動してライン位置２を通過するタグ５０ａにだけ書込まれ、その他の意図しないタグには書込まれない。
【００４１】
次に、タグ５０ａは、搬送ライン４０上のライン位置３を通過する。ここで、このライン位置３に設けられるアンテナ１３ｂの先端に隣接して図示した点線の円の内部の領域は、リーダライタ１０がタグからデータを読取ることができる領域である。リーダライタ１０は、アンテナ１３ｂを介して、この領域内に位置するタグ５０ａおよび５０ｂが有するデータを読取る。ここで、図２での説明と同様に、データを読取ることができる領域は、データを書込むことができる領域よりも広い。すなわち、タグ５０ａからだけでなく、意図しないタグ５０ｂからもデータも読取る。そこで、制御部２０のＣＰＵ２３が、タグ５０ａおよび５０ｂから読取ったデータに、ライン位置２でアンテナ１３ａを介して書込んだ擬似データが含まれるか否かを判断する。そして、ＣＰＵ２３は、読取ったデータに書込んだ擬似データが含まれるタグ５０ａが交信を所望するタグであると判断し、このタグ５０ａと必要なデータを交信するよう制御する。こうすることにより、交信を所望する領域である搬送ライン４０上を移動するタグ５０ａと必要なデータの交信を行い、意図しないタグ５０ｂとの交信を排除できる。
【００４２】
なお、２つのアンテナ１３ａおよび１３ｂを介して同じ１つの擬似データを書込み、２つのアンテナ１３ａおよび１３ｂを介してデータを読取ってもよい。こうすることにより、ダイバーシチの効果が得られる。すなわち、経路差が発生することにより、意図しないタグに間違って擬似データを書込み、かつ同じ意図しないタグからこの擬似データを読取る可能性は、アンテナ１つで書込みと読取りを行う場合よりも低減できる。
【００４３】
なお、搬送ライン４０上で上記と同様の工程を複数回実施する場合、隣り合う工程でアンテナを共有することにより、アンテナの総数を低減できる。具体的には、前の工程のアンテナでタグからデータを読取った後、同じアンテナで擬似データを書込むことにより、アンテナの総数を低減できる。
【００４４】
なお、タグ５０ａが交信を所望するタグであると判断した後で、アンテナ１３ｂを介して、このタグ５０ａから擬似データを消去してもよい。
【００４５】
図８は、この実施の形態に係る、搬送ライン４０上を移動するタグ５０ａに異なる２つの擬似データを書込むことにより、間違った読取りをより低減できる方法について説明するための図である。なお、リーダライタ１０が、ライン位置２に３つ目のアンテナ１３ｃを備えることを除いて、図７で説明した方法と同じであるので、その詳細な説明は省略する。
【００４６】
図８を参照して、リーダライタ１０は、搬送ライン４０上を移動してライン位置２を通過するタグ５０ａが備えるメモリの所定領域にアンテナ１３ａを介して擬似データを書込む。さらに、アンテナ１３ａで書込んだ擬似データとは異なる擬似データをアンテナ１３ｃを介して書込む。制御部２０のＣＰＵ２３は、アンテナ１３ｂを介して読取ったデータに、この異なる２つの擬似データが含まれるか否かを判断する。そして、ＣＰＵ２３は、読取ったデータが書込んだ異なる２つの擬似データを含むタグ５０ａとだけ交信するよう制御する。こうすることにより、１つの擬似データが含まれるか否かを判断する場合と比較して、間違った読取りを行う可能性をより低減できる。
【００４７】
なお、ここでは、リーダライタ１０が擬似データを書込むアンテナを２つ備える場合について説明したが、これに限らず、３つ以上であってもよい。こうすることにより、間違った書込みおよび読取りを行う可能性をより低減できる。また、ここでは、リーダライタ１０が擬似データを読取るアンテナを１つ備える場合について説明したが、これに限らず、２つ以上であってもよい。このように、擬似データを読取るアンテナを２つ以上設けることで、経路差が発生することにより、間違った読取りを行う可能性をより低減できる。
【００４８】
なお、上記した第１実施および第２実施の形態において、図３で説明した制御部２０が行う一連の処理のＳ０２とＳ０３との間に、リーダライタ１０の電波の出力を調整するステップを含んでもよく、このステップは、Ｓ０３でのデータの読取り時において、Ｓ０１での擬似データの書込み時の電波の出力以上に出力調整する。なお、図５および図６で説明した制御部２０が行う一連の処理についても同様である。
【００４９】
以上、図面を参照してこの発明の実施形態を説明したが、この発明は、図示した実施形態のものに限定されない。図示された実施形態に対して、この発明と同一の領域内において、あるいは均等の領域内において、種々の修正や変形を加えることが可能である。
【産業上の利用可能性】
【００５０】
この発明に係るＲＦＩＤリーダライタは、意図しないタグとの交信を排除できるため、このＲＦＩＤリーダライタを用いた通信方法として有利に利用される。
【符号の説明】
【００５１】
１０  リーダライタ、１１  送信部、１２  受信部、１３  アンテナ、２０  制御部、２１  送信データ生成部、２２  受信データ処理部、２３  ＣＰＵ、４０  搬送ライン、５０  タグ、１００  ＲＦＩＤシステム。
【図１】
0005998551.tif 000002
【図２】
0005998551.tif 000003
【図３】
0005998551.tif 000004
【図４】
0005998551.tif 000005
【図５】
0005998551.tif 000006
【図６】
0005998551.tif 000007
【図７】
0005998551.tif 000008
【図８】
0005998551.tif 000009